【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
モーターであって、
スペースを規定する固定子；
固定子の一部の周りに巻かれるように構成された電気コイル；
固定子により囲まれたスペース内に設けられるように構成された加圧容器；および
加圧容器の内側に設けられるように構成されたピストン
を有して成り、
交流電流を電気コイルに通過させる際に、電気コイルは、固定子内および固定子により規定されたスペース内に逆磁場を発生させるように構成されており、
ピストンは、逆磁場に反応して加圧容器内で摺動する、モーター。
【請求項２】
ピストンが、対向しかつ横断方向に極性を有する第１磁石および第２磁石の組み合わせを有して成り、第１磁石および第２磁石は共通軸上で結合されている、請求項１に記載のモーター。
【請求項３】
第１磁石および第２磁石の各々が円筒状であり、
加圧容器の大部分が円筒状であり、および
第１磁石および第２磁石の各々の直径が加圧容器の円筒部の内径と略同一である、請求項２に記載のモーター。
【請求項４】
固定子により規定されるスペースの表面と、第１磁石および第２磁石の少なくとも一方の外面との間の距離が２ｍｍ未満である、請求項３に記載のモーター。
【請求項５】
ピストンが加圧容器内で摺動する際、ピストンの周囲部が少なくとも、ピストンの外面と加圧容器の内面との間の摩擦を最小限にする低摩擦材で被覆されている、請求項１に記載のモーター。
【請求項６】
加圧容器内のピストンの摺動は共鳴往復運動である、請求項１に記載のモーター。
【請求項７】
加圧容器が位相ネットワークを有して成る冷間ヘッドに接続されるように構成されており、加圧容器内のピストンの共鳴往復運動が加圧容器および位相ネットワーク内の作動流体の振動流れを生じさせ、位相ネットワーク内の作動流体の振動流れが冷間ヘッドの少なくともある部分の温度の低下を生じさせる、請求項６に記載のモーター。
【請求項８】
冷間ヘッドの少なくともある部分の温度低下は、冷間ヘッドの外面にさらされるガスの液化を生じさせる、請求項７に記載のモーター。
【請求項９】
作動流体が、ヘリウム、水素、大気、二酸化炭素、およびアルゴンの少なくとも１つを含んで成り、および
冷間ヘッドの外面にさらされることで液化されるガスが酸素である、請求項７に記載のモーター。
【請求項１０】
加圧容器が低伝導性および非強磁性材から成る、請求項１に記載のモーター。
【請求項１１】
低伝導性および非強磁性材は、ステンレス鋼、インコネル、ガラス、カーボン、およびチタン合金の１つである、請求項９に記載のモーター。
【請求項１２】
ピストンは、ピストンの中間ストローク位置へピストンを戻す傾向にある復元力を発生させるために、固定子と結びつく複数の磁石を有して成る、請求項１に記載のモーター。
【請求項１３】
ピストンが逆磁場により加圧容器内で摺動する際、固定子および電気コイルは大気中に設けられるように構成されている、請求項１に記載のモーター。
【請求項１４】
固定子は、加圧容器を開くことなく又は壊すことなく取り外し可能および交換可能となるように構成されている、請求項１に記載のモーター。
【請求項１５】
システムであって、
１つ以上のモーターを有して成る圧力波発生器；および
圧力波発生器と流体的に接続されたアコースティックロード
を有して成り、
１つ以上のモーターのうちの少なくとも１つのモーターが、
スペースを規定する固定子；
固定子の一部の周りに巻かれるように構成された電気コイル；
固定子により囲まれたスペース内に設けられるように構成された加圧容器；および
加圧容器の内側に設けられるように構成されたピストン
を有して成り、
交流電流を電気コイルに通過させる際に、電気コイルは、固定子内および固定子により規定されたスペース内に逆磁場を発生させるように構成されており、
ピストンは、逆磁場に反応して加圧容器内で往復する、システム。
【請求項１６】
アコースティックロードは、スターリングサイクル冷却器およびパルスチューブアコースティックスターリング冷却器の少なくとも一方である、請求項１５に記載のシステム。
【請求項１７】
アコースティックロードは、コンプレッサーヘッドである、請求項１５に記載のシステム。
【請求項１８】
１つ以上のモーターが少なくとも２つのモーターを有して成り、および少なくとも２つのモーターが圧力波発生器内で機械的振動をなくすために機能上接続されるように構成されている、請求項１５に記載のシステム。
【請求項１９】
加圧容器は、アコースティックロードにのみ開口したガスタイト・エンクロージャの一部である、請求項１５に記載のシステム。
【請求項２０】
アコースティックロードは位相ネットワークを有して成り、
加圧容器は、冷間ヘッドに接続されるように構成されており、および、
加圧容器内のピストンの往復運動が、加圧容器および冷間ヘッド内の作動流体の振動流れを生じさせ、アコースティックロード内の作動流体の振動流れが、アコースティックロードの一部の温度の低下を生じさせる、請求項１５に記載のシステム。
【請求項２１】
アコースティックロードの一部の温度低下が、アコースティックロードの外面にさらされるガスの液化を生じさせる、請求項２０に記載のシステム。
【請求項２２】
システムであって、
ガスの混合物からガスを分離するように構成されたガス源、および
ガス源から分離されたガスを受容するように構成された極低温冷却器
を有して成り、
極低温冷却器はガスを液化させるように構成されており、
極低温冷却器は、圧力波発生器、およびガスが冷却デバイスの外面にさらされる際にガスを液化させる冷却デバイスを有して成り、
圧力波発生器は、少なくとも１つの往復モーターを有して成り、
少なくとも１つの往復モーターはスペースを規定する固定子を有して成り、
電気コイルは、固定子の一部の周りに巻かれており、
電気コイルは、電気コイルに交流電流を通過させる際に、固定子内におよび固定子により規定されるスペース内に逆磁場を発生させるように構成されており、
少なくとも１つの往復モーターは、固定子により規定されたスペース内に設けられるように構成された加圧容器を更に有して成り、
加圧容器は、ピストンが逆磁場に反応して加圧容器内で摺動して往復するようピストンを取り囲む、システム。
【請求項２３】
冷却デバイスが位相ネットワークを有して成り、および、
加圧容器内のピストンの往復が、加圧容器および冷却デバイス内の作動流体の振動流れを生じさせ、
冷却デバイス内の作動流体の振動流れが、冷却デバイスの一部の温度の低下を生じさせる、請求項２２に記載のシステム。
【請求項２４】
冷却デバイスの一部の温度低下が、位相ネットワークを有して成るアコースティックロードの外面にさらされるガスの液化を生じさせる、請求項２３に記載のシステム。
【請求項２５】
液化ガスを集め、かつ保存するように構成された保存容器を更に有して成る、請求項２２に記載のシステム。
【請求項２６】
ガス源はガスの混合物からガスを分離するエア分離デバイスであり、エア分離デバイスが分子ふるいを有して成る、請求項２２に記載のシステム。
【請求項２７】
ガス源はガスの混合物からガスを分離するエア分離デバイスであり、エア分離デバイスが、複数の熱交換チャネルを有して成る熱交換器を有して成る、請求項２２に記載のシステム。
【請求項２８】
ガスの混合物はコンプレッサーにより圧縮されたガスを含んで成り、ガス源がコンプレッサーからのガスの混合物を受容する、請求項２２に記載のシステム。
【請求項２９】
ガスの混合物は大気であり、
分離されたガスはガス状酸素であり、および、
液化ガスは、１人以上の患者により使用される少なくとも１つの医療デバイスに供される液体酸素である、請求項２２に記載のシステム。
【手続補正２】
【補正対象書類名】明細書
【補正対象項目名】０００９
【補正方法】変更
【補正の内容】
【０００９】
ある態様では、下記の１つ以上が個々に又は任意の適当な組み合わせで実施され得る。アコースティックロードは、スターリング（stirling）サイクル冷却器およびパルスチューブアコースティックスターリング冷却器の少なくとも一方であり得る。一態様では、アコースティックロードは、コンプレッサーヘッドであり得る。１つ以上のモーターは少なくとも２つのモーターを有して成り得る。少なくとも２つのモーターが含まれる際、少なくとも２つのモーターは圧力波発生器内で機械的振動をなくすために機能上接続され得る。加圧容器は、アコースティックロードにのみ開口したガスタイト・エンクロージャ（又は気密囲い;gas-tight enclosure）の一部であり得る。アコースティックロードは冷間ヘッドであり得る。冷間ヘッドは位相ネットワークを有して成り得る。加圧容器は、冷間ヘッドに接続され得る。加圧容器内のピストンの往復運動により、加圧容器および冷間ヘッド内の作動流体の振動流れが引き起こされ得る。アコースティックロード内の作動流体の振動流れにより、アコースティックロードの一部の低温化が引き起こされ得る。アコースティックロードの一部の低温化により、アコースティックロードの外面にさらされるガスの液化が引き起こされ得る。
【手続補正３】
【補正対象書類名】明細書
【補正対象項目名】００３８
【補正方法】変更
【補正の内容】
【００３８】
磁気ピストン４０２の磁石は、その中心を同軸上に合わせるための磁気ピストン４０２を通じるタイロッドを使用するために軸方向に中ぐりされ得る（又は穴が開けられ得る;bore）。ピストン４０２内の磁石長さは磁気ピストン４０２のストローク長さよりも大きくてよい（すなわち、ストローク長さよりも著しく小さくなくてよい）。